(57)【特許請求の範囲】
【請求項１】
複数の基地局による協調受信が適用されない場合に、複数の参照信号系列が属する各系列グループの番号に対応する値と前記系列グループ中の最小送信帯域幅の参照信号系列の系列長との比である複数の選択基準値のうち、自機が属するセルに割り当てられた系列グループの番号に対応する選択基準値から決定される参照信号系列を、非協調受信用の参照信号系列として選択し、前記複数の基地局による協調受信が適用される場合に、前記複数の選択基準値のうち、自機に個別に割り当てられた系列グループの番号に対応する隣接する２つの選択基準値の間に設定された１つまたは複数の中間選択基準値から決定される参照信号系列を、前記非協調受信用の参照信号系列と異なる協調受信用の参照信号系列として選択し、前記選択された参照信号系列に基づいて参照信号を生成する参照信号生成部と、
前記生成された参照信号を送信する送信部と、
を具備する端末装置。
【請求項２】
前記複数の基地局による協調受信が適用されない場合、
前記複数の選択基準値をＢｕ、送信帯域幅に応じた参照信号系列の系列長をＮ、系列長が同一の複数の種類の参照信号系列を識別するための系列番号をｑとして、Ｂｕとｑ／Ｎとの差の絶対値が最も小さくなる系列番号ｑの参照信号系列が選択され、
前記複数の基地局による協調受信が適用される場合、
前記複数の中間選択基準値をＢｕ’、送信帯域幅に応じた参照信号系列の系列長をＮ、系列長が同一の複数の種類の参照信号系列を識別するための番号を系列番号ｑ’として、Ｂｕ’とｑ’／Ｎとの差の絶対値が最も小さくなる系列番号ｑ’の参照信号系列が選択される、
請求項１記載の端末装置。
【請求項３】
前記中間選択基準値は、前記隣接する２つの選択基準値の間に均等の間隔でＹ個（Ｙは自然数）設定される、
請求項１記載の端末装置。
【請求項４】
前記複数の基地局による協調受信が適用されるとき、
前記送信帯域幅が所定の帯域幅より小さい場合には、前記送信帯域幅よりも長い帯域幅に対応する系列長の参照信号系列が前記協調受信用の参照信号系列として選択され、前記選択された参照信号系列の一部を削除して参照信号が生成される、
請求項１記載の端末装置。
【請求項５】
前記複数の基地局による協調受信が適用されるとき、
基地局から自機に個別に割り当てられた系列グループの番号の通知が無い場合、自機が属するセルに割り当てられている系列グループ番号に対応する前記選択基準値に最も近い中間選択基準値が選択される、
請求項１記載の端末装置。
【請求項６】
前記複数の基地局による協調受信が適用されるとき、
基地局から自機に個別に割り当てられた系列グループの番号の通知が無い場合、自機が属するセルに割り当てられている系列グループ番号に対応する前記選択基準値との差の絶対値が０．５に最も近い中間選択基準値が選択される、
請求項１記載の端末装置。
【請求項７】
前記参照信号系列はＺａｄｏｆｆ−Ｃｈｕ系列である、
請求項１記載の端末装置。
【請求項８】
前記参照信号は、上りリンクの復調用参照信号である、
請求項１記載の端末装置。
【請求項９】
端末固有の参照信号系列が基地局から設定されたか否かに基づいて前記協調受信が適用されているか否かを判定する判定手段を、
さらに具備する請求項１記載の端末装置。
【請求項１０】
前記系列グループ中の最小送信帯域幅の参照信号系列の系列長は、前記最小送信帯域幅に含まれるサブキャリア数を超えない最大の素数値である、
請求項１記載の端末装置。
【請求項１１】
前記各系列グループの番号ｕに対応する値がｕ＋１、前記系列グループ中の最小送信帯域幅の参照信号系列の系列長が３１のとき、前記複数の選択基準値は（ｕ＋１）／３１である、
請求項１記載の端末装置。
【請求項１２】
端末装置に複数の基地局による協調受信が適用されない場合に、複数の参照信号系列が属する各系列グループの番号に対応する値と前記系列グループ中の最小送信帯域幅の参照信号系列の系列長との比である複数の選択基準値のうち、前記端末装置が属するセルに割り当てられた系列グループの番号に対応する選択基準値から決定される参照信号系列を、非協調受信用の参照信号系列として選択する一方、前記端末装置に複数の基地局による協調受信が適用される場合に、前記複数の選択基準値のうち、前記端末装置に個別に割り当てられた系列グループの番号に対応する隣接する２つの選択基準値の間に設定された１つまたは複数の中間選択基準値から決定される参照信号系列を、前記非協調受信用の参照信号系列と異なる協調受信用の参照信号系列として選択し、
前記選択された参照信号系列に基づいて参照信号を生成し、
前記生成された参照信号を送信する、
無線送信方法。
【請求項１３】
端末装置が複数の基地局による協調受信を適用しない場合に、複数の参照信号系列が属する各系列グループの番号に対応する値と前記系列グループ中の最小送信帯域幅の参照信号系列の系列長との比である複数の選択基準値のうち、前記端末装置が属するセルに割り当てられた系列グループの番号に対応する選択基準値から決定される参照信号系列を、非協調受信用の参照信号系列として選択し、前記端末装置が複数の基地局による協調受信を適用する場合に、前記複数の選択基準値のうち、前記端末装置に個別に割り当てられた系列グループの番号に対応する隣接する２つの選択基準値の間に設定された１つまたは複数の中間選択基準値から決定される参照信号系列を、前記非協調受信用の参照信号系列と異なる協調受信用の参照信号系列として選択する設定部と、
前記端末装置から送信された信号を受信する受信部と、
受信された前記信号と前記設定部により選択された前記参照信号系列とに基づいて、チャネル推定を行うチャネル推定部と、
を具備する基地局装置。
【請求項１４】
端末装置に複数の基地局による協調受信が適用されない場合に、複数の参照信号系列が属する各系列グループの番号に対応する値と前記系列グループ中の最小送信帯域幅の参照信号系列の系列長との比である複数の選択基準値のうち、前記端末装置が属するセルに割り当てられた系列グループの番号に対応する選択基準値から決定される参照信号系列を、非協調受信用の参照信号系列として選択する一方、前記端末装置に複数の基地局による協調受信が適用される場合に、前記複数の選択基準値のうち、前記端末装置に個別に割り当てられた系列グループの番号に対応する隣接する２つの選択基準値の間に設定された１つまたは複数の中間選択基準値から決定される参照信号系列を、前記非協調受信用の参照信号系列と異なる協調受信用の参照信号系列として選択し、
前記端末装置から送信された信号を受信し、
受信された前記信号と選択された前記参照信号系列とに基づいて、チャネル推定を行う、
チャネル推定方法。
【発明の詳細な説明】
【技術分野】
【０００１】
本発明は、参照信号を送信する端末装置および無線送信方法、ならびに、参照信号を用いてチャネル推定を行う基地局装置およびチャネル推定方法に関する。
【背景技術】
【０００２】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ−ｔｅｒｍ  Ｅｖｏｌｕｔｉｏｎ）において、上り回線で用いられるデータ復調用参照信号（ＤＭＲＳ：ＤｅＭｏｄｕｌａｔｉｏｎ−Ｒｅｆｅｒｅｎｃｅ  Ｓｉｇｎａｌ）に用いる信号系列として、ＺＣ（Ｚａｄｏｆｆ−Ｃｈｕ）系列が採択されている。ＺＣ系列は、送信帯域幅が３ＲＢ（Ｒｅｓｏｕｒｃｅ  Ｂｌｏｃｋ）以上のときに用いられる。【０００３】
また、ＬＴＥの上り回線では、各送信帯域幅（１〜１１０ＲＢ）において多数のＤＭＲＳ用系列が３０個の系列グループに分けられる。そして、各系列グループでは、図１に示すように、送信帯域幅（具体的には、割当ＲＢ数）とＤＭＲＳ用系列とが対応付けられている。各系列グループには異なる番号（系列グループ番号ｕ＝０〜２９）が割り振られ、図２に示すように、各セルに＃０〜２９の中から１つの系列グループが割り当てられる。このような系列グループの割当てのことを、セル固有（ｃｅｌｌ  ｓｐｅｃｉｆｉｃ）の系列グループ割当、又は、セル固有割当と呼ぶ。基地局（ｅＮＢと呼ばれることもある）は、セル内の端末（ＵＥ（Ｕｓｅｒ  Ｅｑｕｉｐｍｅｎｔ）と呼ばれることもある）にセルＩＤを報知する。セルＩＤと３０個の系列グループ番号は予め一意に対応付けられているため、セル内の端末は報知されたセル固有ＩＤからセル固有の系列グループ番号を把握することができる。端末は、送信帯域幅が変更される場合でも、系列グループ番号のみでＤＭＲＳ用の系列番号を特定できる。よって、セル固有割当によって系列番号のシグナリングを低減することができる。セル固有割当においては、セル間干渉を低減するために近接するセルに異なる系列グループが割り振られる。【０００４】
ＺＣ系列は、ＣＡＺＡＣ（Ｃｏｎｓｔａｎｔ  Ａｍｐｌｉｔｕｄｅ  ａｎｄ  Ｚｅｒｏ  Ａｕｔｏ−ｃｏｒｒｅｌａｔｉｏｎ  Ｃｏｄｅ）系列の一種であり、次式（１）で表される。【０００５】
【数１】
0005970061.tif 000002
式（１）において、ＮＺＣＲＳはＺＣ系列の系列長、ｑはＺＣ系列番号、ｍはＺＣ系列の要素番号である。系列長ＮＺＣＲＳはＤＭＲＳの送信帯域幅のサブキャリア数を超えない最大の素数であり、ＮＺＣＲＳ−１個の相互相関特性が良好なＺＣ系列を生成することができる。また、ＺＣ系列番号ｑは式（２）で算出する。【０００６】
【数２】
0005970061.tif 000003
ここで、ｖは送信帯域幅が５ＲＢ以下においてｖ＝０、６ＲＢ以上においてｖ＝０，１である。また、系列グループ番号ｕはｕ＝０〜２９の整数である。ｕは、Ｓｅｒｖｉｎｇ  ｃｅｌｌのセルＩＤに対応付けられており、セル内の全ＵＥは共通の系列グループに属する何れかの系列を使用する。【０００７】
式（２）は、ＺＣ系列番号とＺＣ系列長との比であるｑ／ＮＺＣＲＳが“（ｕ＋１）／３１”に最も近いＺＣ系列番号（ｖ＝０のとき）と２番目に近いＺＣ系列番号（ｖ＝１のとき）とを算出することを意味する。よって、同一系列グループには、各ＲＢのＺＣ系列として、ｑ／ＮＺＣＲＳの値が近い複数の系列が割り当てられる。以降の説明では、式（２）の“（ｕ＋１）／３１”のようにＺＣ系列番号を算出するための基準となる値を系列選択基準値と呼ぶ。ここで、３１は系列グループの最小ＲＢ（＝３ＲＢ）に割り当てられるサブキャリア数（＝３６）を超えない最大の素数（最小のＺＣ系列長）である。よって、列選択基準値は、系列グループ番号と最小のＺＣ系列長との比を意味する。また、ＺＣ系列を決定づけるＺＣ系列番号とＺＣ系列長との比“ｑ／ＮＺＣＲＳ”のことを系列決定値と呼ぶ。【０００８】
ＺＣ系列のｑ／ＮＺＣＲＳが近い系列は、波形が近く、系列間の相互相関が高い特徴がある。これにより、１つのセルで用いる系列グループがＺＣ系列間の相互相関が高いＺＣ系列の組み合わせで構成されることで、隣接セルで相互相関の高い系列が用いられる確率が軽減され、隣接セル間の干渉が軽減できる（例えば、特許文献１参照）。【０００９】
なお、３ＧＰＰ  ＬＴＥで用いられるＤＭＲＳは、１２サブキャリアで構成される１ＲＢの整数倍の送信帯域幅で送信される。よって、素数であるＺＣ系列の系列長とＤＭＲＳの送信帯域幅に相当するサブキャリア数とは一致しない。そこで、図３に示すように、実際に送信されるＤＭＲＳとしては、素数の系列長となるＺＣ系列の先頭部分を末尾にコピー（Ｅｘｔｅｎｓｉｏｎと呼ばれる）した系列が使用される。例えば、３ＲＢ（３６サブキャリア）で送信されるＤＭＲＳとしては、系列長ＮＺＣＲＳが３１のＺＣ系列を用い、先頭の５要素分を末尾にコピーしてＤＭＲＳを生成する。【００１０】
また、ＬＴＥの発展形であるＬＴＥ−Ａｄｖａｎｃｅｄでは、更なるキャパシティ向上のため、カバーエリアの大きさが異なる複数の基地局を用いたヘテロジーニアスネットワーク（Ｈｅｔｅｒｏｇｅｎｅｏｕｓ  Ｎｅｔｗｏｒｋ：ＨｅｔＮｅｔ）が検討されている。ＨｅｔＮｅｔの運用では、送信電力が大きいマクロセルのカバーエリア内に、送信電力が小さいピコセルが配置される。マクロセルは、ＨＰＮ（Ｈｉｇｈ  Ｐｏｗｅｒ  Ｎｏｄｅ）とも呼ばれる。ピコセルはＬＰＮ（Ｌｏｗ  Ｐｏｗｅｒ  Ｎｏｄｅ）、または、小電力ＲＲＨ（Ｒｅｍｏｔｅ  Ｒａｄｉｏ  Ｈｅａｄ）とも呼ばれる。【００１１】
さらに、ＬＴＥ−Ａｄｖａｎｃｅｄでは、ＨｅｔＮｅｔ環境において、複数のセル（基地局）が協調して端末との間の信号を送受信する通信方式であるＣｏＭＰ（Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ）の適用が検討されている。ＣｏＭＰは、主にセルエッジに存在するユーザのスループットを向上させることを目的としたものである。例えば、上り回線のＣｏＭＰ（ＵＬ＿ＣｏＭＰ）の場合には、複数のセル（基地局あるいは受信ポイントとも呼ぶ）が協調して１つの端末からの上り回線の信号を受信し、複数のセル間で受信信号を合成することで、受信品質を向上させる。【００１２】
さらに、ＵＬ＿ＣｏＭＰでは、システム性能改善効果をより得るために、ＭＵ−ＭＩＭＯ（Ｍｕｌｔｉｐｌｅ  Ｕｓｅｒ−Ｍｕｌｔｉｐｌｅ  Ｉｎｐｕｔ  Ｍｕｌｔｉｐｌｅ  Ｏｕｔｐｕｔ）通信を導入することが検討されている。ＭＩＭＯ通信は、送受信側に複数のアンテナを装備し、同一周波数で異なる信号系列の同時空間多重化伝送を可能とする技術である。ＭＵ−ＭＩＭＯ通信とは、ＵＬ＿ＣｏＭＰが適用される複数の端末、つまり、送信信号が複数のセルで協調して受信・合成される端末（以下、ＣｏＭＰ＿ＵＥと呼ぶ）と基地局との間でＭＩＭＯ通信を行う技術である。ＭＵ−ＭＩＭＯ通信により、システムの周波数利用効率を向上させることができる。【００１３】
ＭＵ−ＭＩＭＯ通信においては、異なる端末の信号を分離するために、端末間で直交したＤＭＲＳを送信する必要がある。ＤＭＲＳの直交化の方法としては、端末間で異なる巡回シフト（ＣＳ（Ｃｙｃｌｉｃ  Ｓｈｉｆｔ））を施したＺＣ系列（ＣＳ−ＺＣ系列）を用いることが挙げられる。巡回シフト量としては、端末の送信信号の最大伝搬遅延時間より大きい値を設定することで、同じ系列グループのＺＣ系列から生成した複数のＣＳ−ＺＣ系列を直交させることができる。【００１４】
しかしながら、ＵＬ＿ＣｏＭＰを適用する場合、複数の異なるセルからＤＭＲＳを受信する必要がある。そのため、上述したセル固有の系列グループ割当では、ＣｏＭＰ＿ＵＥのＺＣ系列番号が異なってしまい、ＤＭＲＳとして用いるＣＳ−ＺＣ系列を直交化させることができない。【００１５】
そこで、図４に示すように、ＣｏＭＰ＿ＵＥに対しては、セル固有系列（図４では系列グループ＃１、＃２）ではなく、端末毎に個別に系列を通知するＵＥ固有系列（図４では系列グループ＃１７）を導入することが検討されている。ＣｏＭＰ受信する端末間に同じ系列グループを割り当てることで、ＣｏＭＰ＿ＵＥ間のＤＭＲＳを直交化させることができる。
【先行技術文献】
【特許文献】
【００１６】
【特許文献１】特許第４６２４４７５号公報
【非特許文献】
【００１７】
【非特許文献１】３ＧＰＰ  ＴＳ３６．２１１  Ｖ１０．２．０，  “Ｐｈｙｓｉｃａｌ  Ｃｈａｎｎｅｌｓ  ａｎｄ  Ｍｏｄｕｌａｔｉｏｎ  （Ｒｅｌｅａｓｅ  １０）”，  ５．５  Ｒｅｆｅｒｅｎｃｅ  Ｓｉｇｎａｌｓ，  Ｊｕｎｅ  ２０１１
【発明の概要】
【発明が解決しようとする課題】
【００１８】
しかしながら、ＣｏＭＰ＿ＵＥに、既存の系列グループの中から１つを選択して割り当てる場合、例え近隣で使用していない系列グループを割り当てたとしても系列グループのリユース距離が小さくなるという課題が生じる。リユース距離とは、一つのセルから同一の系列グループが適用される最も近隣のセルまでの空間的な距離を表わす。リユース距離が小さくなるとＣｏＭＰ＿ＵＥおよびＮｏｎ−ＣｏＭＰ＿ＵＥで使用されるＤＭＲＳのセル間干渉が増加する。この様子について図５および図６に示す。【００１９】
図５に示すように、ＵＬ＿ＣｏＭＰを適用しない場合には、上述したように、１つのセルクラスタを形成する複数のセル（基地局）毎に異なる系列グループが適用される（セル固有系列割当）。よって、系列グループのリユース距離は大きくなる。【００２０】
これに対して、図６に示すように、ＵＬ＿ＣｏＭＰを適用する場合、ＣｏＭＰ＿ＵＥの送信信号を協調して受信する複数のセルで同一の系列グループが適用される（ＵＥ固有系列割当）。【００２１】
図６は、セル固有割り当てにより系列グループ＃１および＃３を使うセルの境界に位置するＵＥに対して、ＵＬ＿ＣｏＭＰの適用のために系列グループ＃１７をＵＥ固有に割り当てた例を示す。この場合には、ＵＥ固有割り当てにより系列グループ＃１７を用いるＵＥ、すなわち、系列グループ＃１および＃３を使うセルの境界に位置するＵＥと、セル固有割り当てにより系列グループ＃１７を用いるセルとの距離（系列グループのリユース距離）が小さくなる。距離が小さくなるということは、信号の距離減衰が小さくなることを意味する。従って、ＵＥ固有割り当てで系列グループ＃１７を使うＣｏＭＰ＿ＵＥと、セル固有割り当てで系列グループ＃１７を使うＮｏｎ−ＣｏＭＰ＿ＵＥとの間で、ＤＭＲＳのセル間干渉が増加してしまう。【００２２】
なお、上記の説明では、参照信号系列の一つである上りリンクのＤＭＲＳに関する課題について述べた。しかしながら、このような課題は、参照信号系列の一つである上りリンクのサウンディング参照信号（ＳＲＳ：Ｓｏｕｎｄｉｎｇ  Ｒｅｆｅｒｅｎｃｅ  Ｓｉｇｎａｌ）においても同様に生じる。【００２３】
本発明の目的は、ＣｏＭＰが適用される場合に、セル間干渉を増加させることなく、ＵＥ固有に参照信号系列を割り当てて無線信号の送受信を行うことのできる端末装置、送信方法、基地局装置およびチャネル推定方法を提供することである。
【課題を解決するための手段】
【００２４】
本発明の一態様に係る端末装置は、複数の基地局による協調受信が適用されない場合に、複数の参照信号系列が属する各系列グループの番号に対応する値と前記系列グループ中の最小送信帯域幅の参照信号系列の系列長との比である複数の選択基準値のうち、自機が属するセルに割り当てられた系列グループの番号に対応する選択基準値から決定される参照信号系列を、非協調受信用の参照信号系列として選択し、前記複数の基地局による協調受信が適用される場合に、前記複数の選択基準値のうち、自機に個別に割り当てられた系列グループの番号に対応する隣接する２つの選択基準値の間に設定された１つまたは複数の中間選択基準値から決定される参照信号系列を、前記非協調受信用の参照信号系列と異なる協調受信用の参照信号系列として選択し、前記選択された参照信号系列に基づいて参照信号を生成する参照信号生成部と、前記生成された参照信号を送信する送信部と、を具備する構成を採る。【００２５】
本発明の一態様に係る無線送信方法は、端末装置に複数の基地局による協調受信が適用されない場合に、複数の参照信号系列が属する各系列グループの番号に対応する値と前記系列グループ中の最小送信帯域幅の参照信号系列の系列長との比である複数の選択基準値のうち、前記端末装置が属するセルに割り当てられた系列グループの番号に対応する選択基準値から決定される参照信号系列を、非協調受信用の参照信号系列として選択する一方、前記端末装置に複数の基地局による協調受信が適用される場合に、前記複数の選択基準値のうち、前記端末装置に個別に割り当てられた系列グループの番号に対応する隣接する２つの選択基準値の間に設定された１つまたは複数の中間選択基準値から決定される参照信号系列を、前記非協調受信用の参照信号系列と異なる協調受信用の参照信号系列として選択し、前記選択された参照信号系列に基づいて参照信号を生成し、前記生成された参照信号を送信する、方法を採る。【００２６】
本発明の一態様に係る基地局装置は、端末装置が複数の基地局による協調受信を適用しない場合に、複数の参照信号系列が属する各系列グループの番号に対応する値と前記系列グループ中の最小送信帯域幅の参照信号系列の系列長との比である複数の選択基準値のうち、前記端末装置が属するセルに割り当てられた系列グループの番号に対応する選択基準値から決定される参照信号系列を、非協調受信用の参照信号系列として選択し、前記端末装置が複数の基地局による協調受信を適用する場合に、前記複数の選択基準値のうち、前記端末装置に個別に割り当てられた系列グループの番号に対応する隣接する２つの選択基準値の間に設定された１つまたは複数の中間選択基準値から決定される参照信号系列を、前記非協調受信用の参照信号系列と異なる協調受信用の参照信号系列として選択する設定部と、前記端末装置から送信された信号を受信する受信部と、受信された前記信号と前記設定部により選択された前記参照信号系列とに基づいて、チャネル推定を行うチャネル推定部と、を具備する構成を採る。【００２７】
本発明の一態様に係るチャネル推定方法は、端末装置に複数の基地局による協調受信が適用されない場合に、複数の参照信号系列が属する各系列グループの番号に対応する値と前記系列グループ中の最小送信帯域幅の参照信号系列の系列長との比である複数の選択基準値のうち、前記端末装置が属するセルに割り当てられた系列グループの番号に対応する選択基準値から決定される参照信号系列を、非協調受信用の参照信号系列として選択する一方、前記端末装置に複数の基地局による協調受信が適用される場合に、前記複数の選択基準値のうち、前記端末装置に個別に割り当てられた系列グループの番号に対応する隣接する２つの選択基準値の間に設定された１つまたは複数の中間選択基準値から決定される参照信号系列を、前記非協調受信用の参照信号系列と異なる協調受信用の参照信号系列として選択し、前記端末装置から送信された信号を受信し、受信された前記信号と選択された前記参照信号系列とに基づいて、チャネル推定を行う方法を採る。
【発明の効果】
【００２８】
本発明によれば、協調受信が適用される場合に、セル間干渉を増加させることなく、端末固有に参照信号系列を割り当てて無線信号の送受信を行うことができる。
【図面の簡単な説明】
【００２９】
【図１】セル固有系列割当において各系列グループに割り当てられるＺＣ系列の系列番号を示す表
【図２】複数のセルへ割り振られる系列グループの一例を示す図
【図３】送信帯域幅と系列長との差を補うＺＣ系列のエクステンション処理を示す図
【図４】複数の端末に同じ系列グループのセル固有系列を割り当ててＣｏＭＰを行う状態を示す説明図
【図５】Ｎｏｎ−ＣｏＭＰにおいてセル固有系列割当を採用した場合のリユース距離を示す図
【図６】ＵＬ＿ＣｏＭＰにおいてＵＥ固有割当を採用した場合のリユース距離を示す図
【図７】本発明の実施の形態１に係る端末１００の要部を示すブロック図
【図８】実施の形態１の端末１００の構成を示すブロック図
【図９】６ＲＢの送信帯域幅に合わせてＺＣ系列のエクステンション処理を施す例を示す説明図
【図１０】本発明の実施の形態１に係る基地局２００の要部を示すブロック図
【図１１】実施の形態１の基地局２００の構成を示すブロック図
【図１２】実施の形態１におけるＮｏｎ−ＣｏＭＰ＿ＵＥ用の系列グループとＣｏＭＰ＿ＵＥ用の系列グループの各選択基準値を示す図
【図１３】実施の形態１における１０ＲＢのときのＺＣ系列の選択方法を説明する図
【図１４】実施の形態１におけるＣｏＭＰ＿ＵＥ用の系列グループの選択基準値の変形例を示す図
【図１５】実施の形態１のＺＣ系列の選択方法を３ＲＢ〜６ＲＢのときに適用した場合の結果を示す図
【図１６】実施の形態２における３ＲＢ〜６ＲＢのときのＺＣ系列の選択結果を示す図
【図１７】実施の形態２におけるＺＣ系列のトランケーション処理の第１例を説明する図
【図１８】実施の形態２におけるＺＣ系列のトランケーション処理の第２例を説明する図
【図１９】実施の形態３におけるＣｏＭＰ＿ＵＥ用の系列グループの導出方法を説明する図
【図２０】実施の形態３におけるＣｏＭＰ＿ＵＥ用の系列グループの導出方法のその他の例を説明する図
【図２１】小電力基地局を有するシステムへ本発明に係る系列グループ割当を適用した例を示す図
【図２２】ＣｏＭＰ＿ＵＥ用のＺＣ系列の割当方法の変形例を示す表
【発明を実施するための形態】
【００３０】
以下、本発明の各実施の形態について図面を参照して詳細に説明する。
【００３１】
（実施の形態１）
［通信システムの概要］
本発明の実施の形態１に係る通信システムは、送信装置と受信装置とを有する。特に、本実施の形態では、送信装置を端末１００とし、受信装置を基地局２００として説明する。この通信システムは、例えば、ＬＴＥ−Ａｄｖａｎｃｅｄシステムである。そして、端末１００は、例えば、ＬＴＥ−Ａｄｖａｎｃｅｄシステムに対応する端末であり、基地局２００は、例えば、ＬＴＥ−Ａｄｖａｎｃｅｄシステムに対応する基地局である。また、例えば、端末１００がＵＬ＿ＣｏＭＰを適用するＣｏＭＰ＿ＵＥとして動作する場合、端末１００から送信された信号は、複数の基地局２００によって協調して受信される。
【００３２】
［端末１００の構成］
図７は、本発明の実施の形態１に係る端末１００の要部を示すブロック図である。
【００３３】
本実施の形態１に係る端末１００は、図７に示すように、アンテナ１０１、参照信号生成部１１３、および、送信部１０５を備えている。
【００３４】
参照信号生成部１１３は、まず、ＤＭＲＳに使用するＺＣ系列を設定する。具体的には、参照信号生成部１１３は、端末１００にＣｏＭＰ（協調受信に相当）が適用されない場合に、Ｎｏｎ−ＣｏＭＰ＿ＵＥ用の参照信号系列を設定する。この参照信号系列としては、複数の選択基準値（ｕ＋１）／３１のうち、端末１００が属するセルに割り当てられた系列グループの番号に対応する選択基準値から決定される参照信号系列が選択される。複数の選択基準値（ｕ＋１）／３１とは、複数の参照信号系列が属する各系列グループの番号に対応する値ｕ＋１（但し、ｕは０〜２９）と系列グループ中の最小送信帯域幅の参照信号系列の系列長３１との比である。また、参照信号生成部１１３は、端末１００にＣｏＭＰが適用される場合に、ＣｏＭＰ＿ＵＥ用の参照信号系列を設定する。この参照信号系列としては、複数の選択基準値（ｕ＋１）／３１のうち、端末１００に個別に割り当てられた系列グループの番号に対応する隣接する２つの選択基準値の間に設定された１つまたは複数の中間選択基準値から決定される参照信号系列が選択される。そして、参照信号生成部１１３は、選択された参照信号系列に基づいてＤＭＲＳを生成して送信部１０５へ送る。
【００３５】
送信部１０５は、生成されたＤＭＳＲをアンテナ１０１を介して基地局２００へ送信する。
【００３６】
図８は、実施の形態１に係る端末１００の構成を示すブロック図である。
【００３７】
端末１００は、具体的には、図８に示すように、アンテナ１０１、参照信号処理部１１０、マッピング部１０２、ＩＦＦＴ（Ｉｎｖｅｒｓｅ  Ｆａｓｔ  Ｆｏｕｒｉｅｒ  Ｔｒａｎｓｆｏｒｍ）部１０３、ＣＰ付加部１０４、送信部１０５、受信部１０６、および、復調部１０７を備えている。参照信号処理部１１０は、ＣｏＭＰ判定部１１１、系列算出部１１２、および、参照信号生成部１１３を有する。
【００３８】
これらのうち、マッピング部１０２、ＩＦＦＴ部１０３、ＣＰ付加部１０４および送信部１０５は、送信処理部１０８を構成する。受信部１０６および復調部１０７は受信処理部１０９を構成する。続いて、各部の詳細を説明する。
【００３９】
受信部１０６は、基地局２００から送信された信号をアンテナ１０１を介して受信し、受信信号に対してダウンコンバート、Ａ／Ｄ変換等の受信処理を施し、受信処理を施した受信信号を復調部１０７に出力する。
【００４０】
復調部１０７は、受信部１０６から入力された受信信号に含まれる制御信号を復調し、復調した制御情報をＣｏＭＰ判定部１１１へ出力する。この制御信号は、協調受信の適用又は非適用を示す情報を含み、基地局２００から送信される。また、復調部１０７は、受信部１０６から入力された受信信号に含まれる受信データを復調してベースバンド部へ送る。
【００４１】
ＣｏＭＰ判定部１１１は、基地局２００から通知された制御情報に基づいて、複数の受信装置（基地局２００）による協調受信が適用される端末（「ＣｏＭＰ＿ＵＥ」と記す）か、否か（「Ｎｏｎ−ＣｏＭＰ＿ＵＥ」と記す）を判定する。ＣｏＭＰ判定部１１１は、判定結果を系列算出部１１２へ出力する。
【００４２】
実施の形態の通信システムにおいては、例えば、基地局２００が、予めＣｏＭＰ＿ＵＥかＮｏｎ−ＣｏＭＰ＿ＵＥかを端末１００に明示的に通知することが想定される。この場合、ＣｏＭＰ判定部１１１は、この通知された情報をもとに上記の判定を行うことができる。また、ＣｏＭＰ判定部１１１は、端末１００に設定されたその他の情報から暗示的にＣｏＭＰ＿ＵＥかＮｏｎ−ＣｏＭＰ＿ＵＥかを判定してもよい。その他の情報としては、例えば、ＵＥ固有の系列グループ番号、ＵＥ固有の系列番号、または、系列グループ番号を得るためのＶｉｒｔｕａｌ  ｃｅｌｌ  ＩＤ（仮想のセルＩＤ）を適用できる。この場合、ＣｏＭＰ判定部１１１は、これらの情報が設定されているか、あるいは、設定可能であればＣｏＭＰ＿ＵＥと判定し、これらの情報が設定されていない、あるいは、設定不可能であればＮｏｎ−ＣｏＭＰ＿ＵＥと判定することができる。
【００４３】
系列算出部１１２は、基地局２００から指示されたＤＭＲＳの送信帯域幅（＝ＭＲＳ［サブキャリア］）と、ＣｏＭＰ＿ＵＥあるいはＮｏｎ−ＣｏＭＰ＿ＵＥに応じたＺＣ系列長ＮＺＣＲＳ［サブキャリア］、および、ＺＣ系列番号ｑ又はｑ’を算出する。系列算出部１１２は、算出結果を参照信号生成部１１３へ出力する。ここで、ＺＣ系列長ＮＺＣＲＳは、ＭＲＳより小さい最大の素数として算出される。例えば、ＭＲＳ＝７２（６ＲＢ）のとき、ＮＺＣＲＳ＝７１となる。ＺＣ系列番号ｑ又はｑ’の算出方法は、後に詳述する。
【００４４】
参照信号生成部１１３は、系列算出部１１２により設定されたＺＣ系列長ＮＺＣＲＳ、および、ＺＣ系列番号ｑ，ｑ’をもとに式（１）に従ってＺＣ系列を生成する。さらに、参照信号生成部１１３は、生成した長さＮＺＣＲＳのＺＣ系列を、送信帯域幅ＭＲＳに拡張してＤＭＲＳ用の系列を作成し、マッピング部１０２へ出力する。拡張方法としては、図９に示すように、例えばＺＣ系列の先頭を後方にコピー（Ｅｘｔｅｎｓｉｏｎ）する方法が採用される。図９は、６ＲＢの送信帯域幅に合わせてＺＣ系列にエクステンション処理を施す例を示している。
【００４５】
マッピング部１０２は、生成されたＤＭＲＳを、端末１００の送信帯域に対応した帯域にマッピングし、マッピングした信号をＩＦＦＴ部１０３に出力する。また、マッピング部１０２は、送信データを端末１００の送信帯域に対応した帯域にマッピングし、マッピングした信号をＩＦＦＴ部１０３に出力する。
【００４６】
ＩＦＦＴ部１０３は、マッピング部１０２から入力された信号にＩＦＦＴ処理を施し、ＩＦＦＴ処理を施した信号をＣＰ（Ｃｙｃｌｉｃ  Ｐｒｅｆｉｘ）付加部１０４に出力する。
【００４７】
ＣＰ付加部１０４は、ＩＦＦＴ後の信号の後尾部分と同じ信号をＣＰとして先頭に付加し、送信部１０５へ出力する。
【００４８】
送信部１０５は、ＣＰ付加後の信号に対してＤ／Ａ変換、アップコンバート、増幅等の送信処理を施し、送信処理を施した信号をアンテナ１０１を介して送信する。送信される信号には、送信データとＤＭＲＳとが含まれる。
【００４９】
［基地局２００の構成］
図１０は、本発明の実施の形態１に係る基地局２００の要部を示すブロック図である。
【００５０】
本実施の形態１に係る基地局２００は、図１０に示すように、アンテナ２０１、受信部２０２、参照信号設定部２１４、および、ＣＨ推定部２１０を備えている。
【００５１】
参照信号設定部２１４は、ＵＥがＤＭＲＳに使用するＺＣ系列を設定する。具体的には、参照信号設定部２１４は、ＵＥに対してＣｏＭＰを適用しない場合に、Ｎｏｎ−ＣｏＭＰ＿ＵＥ用の参照信号系列を設定する。この参照信号系列としては、複数の選択基準値（ｕ＋１）／３１のうち、端末１００が属するセルに割り当てられた系列グループの番号に対応する選択基準値から決定される参照信号系列が選択される。複数の選択基準値（ｕ＋１）／３１とは、複数の参照信号系列が属する各系列グループの番号に対応する値ｕ＋１（但し、ｕは０〜２９）と系列グループ中の最小送信帯域幅の参照信号系列の系列長３１との比である。また、参照信号設定部２１４は、ＵＥに対してＣｏＭＰを適用する場合に、ＣｏＭＰ＿ＵＥ用の参照信号系列を設定する。この参照信号系列としては、複数の選択基準値（ｕ＋１）／３１のうち、端末１００に個別に割り当てられた系列グループの番号に対応する隣接する２つの選択基準値の間に設定された１つまたは複数の中間選択基準値から決定される参照信号系列が選択される。そして、参照信号設定部２１４は、選択結果をＣＨ推定部２１０へ送る。
【００５２】
ＣＨ推定部２１０は、参照信号設定部２１４からの選択結果に基づいて受信信号に含まれるＤＭＲＳから同期検波のためのチャネル推定を行う。
【００５３】
図１１は、実施の形態１に係る基地局２００の構成を示すブロック図である。
【００５４】
基地局２００は、具体的には、図１１に示すように、アンテナ２０１、受信部２０２、ＣＰ除去部２０３、分離部２０４、ＦＦＴ部２０５，２０８、デマッピング部２０６，２０９、ＣＨ推定部２１０、周波数領域等化部２０７、ＩＤＦＴ（Ｉｎｖｅｒｓｅ  Ｄｉｓｃｒｅｔｅ  Ｆｏｕｒｉｅｒ  Ｔｒａｎｓｆｏｒｍ）部２１１、復調部２１２、復号部２１３、参照信号設定部２１４、変調部２１５、および、送信部２１６を備えている。
【００５５】
これらのうち、変調部２１５および送信部２１６は、送信処理部２１７を構成する。ＣＰ除去部２０３、分離部２０４、ＦＦＴ（Ｆａｓｔ  Ｆｏｕｒｉｅｒ  ｔｒａｎｓｆｏｒｍ）部２０５，２０８、デマッピング部２０６，２０９、周波数領域等化部２０７、ＩＤＦＴ部２１１、復調部２１２、および復号部２１３は、受信処理部２１８を構成する。参照信号設定部２１４には、図示しない系列算出部が含まれる。続いて、各部の詳細を説明する。
【００５６】
参照信号設定部２１４は、端末１００の参照信号処理部１１０（図８）とほぼ同様の構成である。参照信号設定部２１４は、端末１００がＣｏＭＰ＿ＵＥか否かを判定し、ＣｏＭＰ＿ＵＥおよびＮｏｎ−ＣｏＭＰ＿ＵＥに対応したＤＭＲＳ用系列（端末１００が送信したＤＭＲＳ用系列と同じ系列）を生成し、ＣＨ推定部２１０へ出力する。また、参照信号設定部２１４は、ＣｏＭＰ＿ＵＥかＮｏｎ−ＣｏＭＰ＿ＵＥかを端末１００に暗示的あるいは明示的に伝えるための制御情報を変調部２１５へ出力する。
【００５７】
変調部２１５は、参照信号設定部２１４から出力された制御情報と送信データとを変調して、送信部２１６に出力する。
【００５８】
送信部２１６は、変調部から出力された信号に対してＤ／Ａ変換、アップコンバート、増幅等の送信処理を施し、送信処理を施した信号をアンテナ２０１から送信する。
【００５９】
受信部２０２は、アンテナ２０１を介して受信した信号にダウンコンバート、Ａ／Ｄ変換等の受信処理を施し、受信処理を施した信号をＣＰ除去部２０３に出力する。受信した信号には、データ信号及びＤＭＲＳが含まれる。
【００６０】
ＣＰ除去部２０３は、受信処理が施された信号からＣＰを除去し、ＣＰ除去後の信号を分離部２０４に出力する。
【００６１】
分離部２０４は、ＣＰ除去部２０３から入力される信号をＤＭＲＳとデータ信号とに分離する。分離部２０４は、ＤＭＲＳを一方のＦＦＴ部２０５に出力し、データ信号を他方のＦＦＴ部２０８に出力する。
【００６２】
ＤＭＲＳ側のＦＦＴ部２０８は、分離部２０４から入力されるＤＭＲＳに対してＦＦＴ処理を施し、時間領域から周波数領域の信号に変換する。ＦＦＴ部２０８は、周波数領域に変換したＤＭＲＳをデマッピング部２０９に出力する。
【００６３】
デマッピング部２０９は、ＦＦＴ部２０８から入力される周波数領域のＤＭＲＳから各端末１００の送信帯域に対応した部分を抽出し、抽出したＤＭＲＳをＣＨ推定部２１０に出力する。
【００６４】
ＣＨ推定部２１０は、ＤＭＲＳを用いて上り物理チャネルの同期検波のためのチャネル推定（チャネル推定値の算出）を行う。より詳細には、ＣＨ推定部２１０は、先ず、デマッピング部２０９から入力されるＤＭＲＳを、参照信号設定部２１４から入力されるＤＭＲＳ系列で除算し、除算結果（相関値）にＩＦＦＴ処理を施す。次に、ＣＨ推定部２１０は、ＩＦＦＴ処理を施した信号にマスク処理を施すことにより、所望の巡回シフト系列の相関値が存在する区間（ウィンドウ部分）の相関値を抽出する。続いて、ＣＨ推定部２１０は、抽出した相関値にＤＦＴ（Ｄｉｓｃｒｅｔｅ  Ｆｏｕｒｉｅｒ  Ｔｒａｎｓｆｏｒｍ）処理を施し、ＤＦＴ処理を施した相関値をチャネル推定値として周波数領域等化部２０７に出力する。ここで、出力される信号は、伝搬路の周波数変動（伝搬路の周波数応答）を表す信号である。
【００６５】
データ側のＦＦＴ部２０５は、分離部２０４から入力されるデータ信号に対してＦＦＴ処理を施し、時間領域から周波数領域の信号に変換する。ＦＦＴ部２０５は、周波数領域に変換したデータ信号をデマッピング部２０６に出力する。
【００６６】
デマッピング部２０６は、ＦＦＴ部から入力される信号から各端末１００の送信帯域に対応した部分のデータ信号を抽出し、抽出した各信号を周波数領域等化部２０７に出力する。
【００６７】
周波数領域等化部２０７は、ＣＨ推定部２１０から入力される信号（伝搬路の周波数応答）を用いて、デマッピング部２０６から入力されるデータ信号に等化処理を施し、等化処理を施した信号をＩＤＦＴ部２１１に出力する。
【００６８】
ＩＤＦＴ部２１１は、周波数領域等化部２０７から入力されるデータ信号に対してＩＤＦＴ処理を施して、周波数領域の信号を時間領域の信号に戻す。そして、ＩＤＦＴ部２１１は、時間領域の信号を復調部２１２へ出力する。
【００６９】
復調部２１２は、ＩＤＦＴ部から入力される信号に復調処理を施し、復調処理を施した信号を復号部２１３に出力する。
【００７０】
復号部２１３は、復調部２１２から入力される信号に復号処理を施し、受信データを抽出する。
【００７１】
［系列番号ｑ，ｑ’の算出処理］
ここでは、端末１００の系列算出部１１２ならびに基地局２００の系列算出部により行われる系列番号ｑ，ｑ’の算出処理について詳細に説明する。
【００７２】
図１２は、実施の形態１におけるＮｏｎ−ＣｏＭＰ＿ＵＥ用の系列グループとＣｏＭＰ＿ＵＥ用の系列グループの各選択基準値を示す図である。図１３は、実施の形態１における１０ＲＢのときのＺＣ系列の選択方法を説明する図である。
【００７３】
端末１００の系列算出部１１２は、自機がＮｏｎ−ＣｏＭＰ＿ＵＥの場合、先ず、式（３）に示すように、系列グループ番号ｕを用いてＮｏｎ−ＣｏＭＰ＿ＵＥ用の系列選択基準値Ｂｕ＝（ｕ＋１）／３１を算出する。ここで、系列グループ番号ｕは、Ｓｅｒｖｉｎｇ  ｃｅｌｌに割り当てられたセル固有の系列グループ番号ｕ（０〜２９のいずれかの番号）が適用される。
【００７４】
一方、端末１００の系列算出部１１２は、自機がＣｏＭＰ＿ＵＥの場合、式（４）に示すように、系列グループ番号ｕを用いて、Ｎｏｎ−ＣｏＭＰ＿ＵＥ用のいずれの系列選択基準値Ｂｕとも異なるＣｏＭＰ＿ＵＥ用の系列選択基準値Ｂｕ’を算出する。ここで使用される系列グループ番号ｕは、明示的あるいは暗示的に通知されたＵＥ固有の系列グループ番号ｕ（例えば、０〜２９のいずれかの番号）が適用される。
【００７５】
ＣｏＭＰ＿ＵＥ用の系列選択基準値Ｂｕ’は、図１２に示すように、Ｎｏｎ−ＣｏＭＰ＿ＵＥ用の系列グループの系列選択基準値Ｂｕの間に、所定個ずつ（例えば、図１２の場合は１個ずつ）設定される。このＣｏＭＰ＿ＵＥ用の系列選択基準値Ｂｕ’が中間系列選択基準値に相当する。式（４）は、ＣｏＭＰ＿ＵＥ用の系列選択基準値Ｂｕ’が、Ｎｏｎ−ＣｏＭＰ＿ＵＥ用の系列グループの系列選択基準値Ｂｕの間に１個ずつ設定された場合の算出式である。
【００７６】
続いて、端末１００の系列算出部１１２は、Ｎｏｎ-ＣｏＭＰ＿ＵＥ用の系列選択基準値Ｂｕ、または、ＣｏＭＰ＿ＵＥ用の系列選択基準値Ｂｕ’に基づいて、系列長ＮＺＣＲＳに応じた系列番号ｑを算出する。この算出処理を模式的に表したのが図１３である。
【００７７】
図１３では、一部の数値区間のみを示しているが、１０ＲＢ用の系列（系列長ＮＺＣＲＳ＝１１３）の場合、「０〜１」の数値区間には、系列長に応じた個数の系列決定値「ｑ／ＮＺＣＲＳ（又はｑ’／ＮＺＣＲＳ）＝ 1/113 〜 112/113 」が均等に現れる。また、この数値区間には、３０個のＮｏｎ−ＣｏＭＰ＿ＵＥ用の系列選択基準値「Ｂｕ＝1/31〜30/31」と、３０個のＣｏＭＰ＿ＵＥ用の系列選択基準値「Ｂｕ’＝1/62、3/62、5/62、…61/62」とがそれぞれ設定される。このＮｏｎ−ＣｏＭＰ＿ＵＥ用の系列グループの系列選択基準値Ｂｕの間（図１３の場合には＃０〜１の区間）の数値区間が、系列選択用の数値区間に相当する。
【００７８】
自機がＮｏｎ−ＣｏＭＰ＿ＵＥの場合、端末１００の系列算出部１１２は、式（５−１）のように、先に求めた系列選択基準値Ｂｕを用いてＮｏｎ−ＣｏＭＰ＿ＵＥ用のＺＣ系列番号ｑを算出する。
【００７９】
式（５−１）は、系列決定値（ｑ／ＮＺＣＲＳ）と、Ｎｏｎ−ＣｏＭＰ＿ＵＥ用の系列選択基準値Ｂｕとの差の絶対値が０に最も近いＺＣ系列番号（ｖ＝０のとき）と、２番目に０に近いＺＣ系列番号（ｖ＝１のとき）とを算出することに相当する。
【００８０】
ここで、例えば、送信帯域幅が１０ＲＢで、Ｎｏｎ−ＣｏＭＰ＿ＵＥ用の系列選択基準値Ｂｕが「１／３１」であるとする。この場合、図１３に示すように、Ｎｏｎ−ＣｏＭＰ＿ＵＥ用の系列選択基準値「Ｂｕ＝１／３１」に最も近い２つの系列決定値「ｑ／ＮＺＣＲＳ＝３／１１３、４／１１３」が選択されるように、ＺＣ系列番号「ｑ＝３、４」が算出される。また、Ｎｏｎ−ＣｏＭＰ＿ＵＥ用の系列選択基準値Ｂｕが「２／３１」であれば、この系列選択基準値Ｂｕに最も近い２つの系列決定値「ｑ／ＮＺＣＲＳ＝７／１１３、８／１１３」が選択されるように、ＺＣ系列番号「ｑ＝７、８」が算出される。
【００８１】
一方、自機がＣｏＭＰ＿ＵＥの場合、端末１００の系列算出部１１２は、式（５−２）のように、先に求めたＣｏＭＰ＿ＵＥ用の系列選択基準値Ｂｕ’を用いてＣｏＭＰ＿ＵＥ用のＺＣ系列番号ｑ’を算出する。
【００８２】
式（５−２）は、系列決定値（ｑ’／ＮＺＣＲＳ）と、ＣｏＭＰ＿ＵＥ用の系列選択基準値Ｂｕ’との差の絶対値が０に最も近いＺＣ系列番号（ｖ＝０のとき）と、２番目に０に近いＺＣ系列番号（ｖ＝１のとき）を算出することに相当する。
【００８３】
ここで、例えば、送信帯域幅が１０ＲＢで、ＣｏＭＰ＿ＵＥ用の系列選択基準値Ｂｕ’が「３／６２」であるとする。この場合、図１３に示すように、ＣｏＭＰ＿ＵＥ用の系列選択基準値「Ｂｕ’＝３／６２」に最も近い２つの系列決定値「ｑ’／ＮＺＣＲＳ＝５／１１３、６／１１３」が選択されるように、ＺＣ系列番号「ｑ’＝５、６」が算出される。
【００８４】
【数３】
0005970061.tif 000004
【００８５】
このように、本実施の形態では、系列を選択するための基準値を、Ｎｏｎ−ＣｏＭＰ＿ＵＥ用の系列選択基準値Ｂｕと、ＣｏＭＰ＿ＵＥ用の系列選択基準値Ｂｕ’とで異なる値にしている。これにより、従来の３０個存在するＮｏｎ−ＣｏＭＰ＿ＵＥ用の系列グループとは異なる相関特性をもつＺＣ系列グループのＺＣ系列をＣｏＭＰ＿ＵＥ用に生成することができる。このようなＺＣ系列を使用することで、相互相関の高い系列が近くのセルで用いられることがなくなり、セル間の干渉を低減することができる。
【００８６】
また、本実施の形態では、ＣｏＭＰ＿ＵＥ用の系列選択基準値Ｂｕ’としては、隣接する２つのＮｏｎ−ＣｏＭＰ＿ＵＥ用の系列選択基準値Ｂｕの間で、これらの各系列選択基準値Ｂｕ，Ｂｕ’が均等な間隔で配置される値が採用されている。従って、これらの系列選択基準値Ｂｕ，Ｂｕ’に基づき系列決定値（ＺＣ系列番号と系列長の比）を選択する場合に、複数の系列グループ間の系列決定値の差をほぼ等間隔に離すことができる。
【００８７】
前述したように、異なるＺＣ系列の相互相関値は、ＺＣ系列番号と系列長の比が近いほど高くなる（非特許文献１を参照）。逆にＺＣ系列番号と系列長の比が離れるほど相互相関値は低くなる。よって、上述したように系列グループを生成することで、Ｎｏｎ−ＣｏＭＰ＿ＵＥとＣｏＭＰ＿ＵＥとで使用されるＤＭＲＳのセル間干渉の増加を抑えることができる。
【００８８】
基地局２００の系列算出部は、通信相手の端末１００がＣｏＭＰ＿ＵＥかＮｏｎ−ＣｏＭＰ＿ＵＥかに基づき、上記と同様の処理によって、ＣｏＭＰ＿ＵＥ用の系列番号ｑと、Ｎｏｎ−ＣｏＭＰ＿ＵＥ用の系列番号ｑ’とを算出する。
【００８９】
なお、式（４）は、式（４）’としても同等の効果が得られる。
【数４】
0005970061.tif 000005
【００９０】
式（４）のＣｏＭＰ＿ＵＥ用の系列選択基準値Ｂｕ’は、Ｎｏｎ−ＣｏＭＰ＿ＵＥ用の３０個の系列選択基準値Ｂｕをマイナス側に１／６２だけずらした３０個の新たな系列選択基準値に相当する。それに対して、式（４）’のＣｏＭＰ＿ＵＥ用の系列選択基準値Ｂｕ’は、Ｎｏｎ−ＣｏＭＰ＿ＵＥ用の３０個の系列選択基準値Ｂｕをプラス側に１／６２だけずらした３０個の新たな系列選択基準値に相当する。
【００９１】
なお、図１２の例では、ＣｏＭＰ＿ＵＥ用系列選択基準値Ｂｕ’を、Ｎｏｎ−ＣｏＭＰ＿ＵＥ用の系列選択基準値Ｂｕの間に１個ずつ設けていたが、２個または３個など複数個ずつ設けて、より多くのＣｏＭＰ＿ＵＥ用系列選択基準値Ｂｕ’を設定することもできる。これにより、ＣｏＭＰ＿ＵＥ用の系列グループ数を、Ｎｏｎ−ＣｏＭＰ＿ＵＥ用の系列グループ数よりも多く生成することができる。続いて、この一例を説明する。
【００９２】
図１４は、ＣｏＭＰ＿ＵＥ用の系列グループの選択基準値の変形例を示す図である。
【００９３】
ここでは、Ｎｏｎ−ＣｏＭＰ＿ＵＥ用の各系列選択基準値（式（３））の間に、Ｙ（Ｙは系列を選択するための基準値の分割数に相当）個のＣｏＭＰ＿ＵＥ用の系列グループ数を生成する場合を説明する。この場合、ＣｏＭＰ＿ＵＥ用の系列グループ（ｕ，ｙ）（ただし、ｙ=０，…，Ｙ−１）のＣｏＭＰ＿ＵＥ用系列選択基準値Ｂｕ，ｙ’は、Ｎｏｎ−ＣｏＭＰ＿ＵＥ用の系列グループの系列選択基準値Ｂｕの間にＹ個ずつ設定される。具体的には、ＣｏＭＰ＿ＵＥ用の系列グループ（ｕ，ｙ）の系列選択基準値Ｂｕ，ｙ’は式（６）あるいは式（６）’のように算出する。式（４）および（４）’は、式（６）および（６）’においてＹ＝１とした場合と等価となる。図１４の例は、Ｙ＝２の場合の系列グループの選択基準値を示している。
【００９４】
【数５】
0005970061.tif 000006
【００９５】
このように、ＣｏＭＰ＿ＵＥ用の系列グループを生成することで、ＣｏＭＰ＿ＵＥ用とＮｏｎ−ＣｏＭＰ＿ＵＥ用の系列グループ間のＺＣ系列番号と系列長の比を均等に離すことができ、セル間干渉を低減できる。
【００９６】
なお、上記の説明では、ＣｏＭＰ＿ＵＥ用の系列選択基準値Ｂｕ’、Ｂｕ，ｙ’が、Ｎｏｎ−ＣｏＭＰ＿ＵＥ用の各隣接する２つの系列選択基準値Ｂｕの間で、均等な間隔で設定される構成を例にとって説明した。しかしながら、ＣｏＭＰ＿ＵＥ用の系列選択基準値Ｂｕ’、Ｂｕ，ｙ’は、上記のような均等な間隔で設定される値から、少しずれた値に設定されてもよい。少しの程度ずれたとしても、均等な間隔で設定した場合と同様の系列グループの割当を行うことができる。
【００９７】
また、ＣｏＭＰ＿ＵＥ用の系列グループ数がＮｏｎ−ＣｏＭＰ＿ＵＥ用の系列グループ数よりも少なく生成する場合には、同じ式を用いて、ＣｏＭＰ＿ＵＥ用の系列グループ番号ｕの最大数を制限すればよい。
【００９８】
以上のように、本実施の形態１によれば、ＣｏＭＰ＿ＵＥはＤＭＲＳ用ＺＣ系列として、Ｎｏｎ−ＣｏＭＰ＿ＵＥのＤＭＲＳ用ＺＣ系列とはＺＣ系列番号とＺＣ系列長の比が異なる（相関特性が異なる）系列が用いられる。よって、同じ系列グループが使用される２つのセル間距離であるリユース距離が小さくならない。よってＣｏＭＰ＿ＵＥとＮｏｎ−ＣｏＭＰ＿ＵＥとで使用されるＤＭＲＳのセル間干渉の増加を防止できる。
【００９９】
（実施の形態２）
［更なる課題］
実施の形態１で説明したＺＣ系列の選択方法を、送信帯域幅が５ＲＢ以下の場合にそのまま適用すると、所望の条件を満たすＣｏＭＰ＿ＵＥ用のＺＣ系列が十分に確保できないという課題がある。
【０１００】
例えば、送信帯域幅が３ＲＢ（ＭＲＳ＝３６サブキャリア）の場合は、ＺＣ系列長ＮＺＣＲＳは、サブキャリア数を単位とした送信帯域幅ＭＲＳより小さい最大の素数であるのでＮＺＣＲＳ＝３１となる。ＺＣ系列は、ＺＣ系列番号ｑ＝１〜（ＮＺＣＲＳ−１）の（ＮＺＣＲＳ−１）個が存在する。よって、この場合には、ＣｏＭＰ＿ＵＥ用のＺＣ系列として、式（４）の系列選択基準値Ｂｕ’に最も近く、且つ、Ｎｏｎ−ＣｏＭＰ＿ＵＥ用のＺＣ系列と異なる系列番号を選択することができない。
【０１０１】
同様に、送信帯域幅が４ＲＢおよび５ＲＢの場合、ＺＣ系列長ＮＺＣＲＳは４７、５９となる。よって、この場合にも、３０組の系列グループのＣｏＭＰ＿ＵＥ用のＺＣ系列として、３０組の系列グループのＮｏｎ−ＣｏＭＰ＿ＵＥ用のＺＣ系列と異なる系列番号を１つずつ選択することができない。
【０１０２】
図１５は、実施の形態１のＺＣ系列の選択方法を３ＲＢ〜６ＲＢのときに適用した場合の結果を示す図である。図１５（Ａ）は、式（３）の系列選択基準値に基づき算出したＮｏｎ−ＣｏＭＰ＿ＵＥ用の各ＺＣ系列グループ（ｕ＝０〜２９）に割り当てられる各ＺＣ系列番号ｑ（ただし、送信帯域幅は３〜６ＲＢ）を示している。一方、図１５（Ｂ）は、式（４）の系列選択基準値で算出したＣｏＭＰ＿ＵＥ用の各ＺＣ系列グループ（ｕ＝０〜２９）に割り当てられるＺＣ系列番号ｑ’（ただし、送信帯域幅は３〜６ＲＢ）を示している。
【０１０３】
図１５（Ｂ）では、網掛け部分のＺＣ系列番号が、Ｎｏｎ−ＣｏＭＰ＿ＵＥ用とＣｏＭＰ＿ＵＥ用とで同じになることが確認できる。このように、Ｎｏｎ−ＣｏＭＰ＿ＵＥとＣｏＭＰ＿ＵＥでＺＣ系列長とＺＣ系列番号が等しいＺＣ系列を使うと、Ｎｏｎ−ＣｏＭＰ＿ＵＥとＣｏＭＰ＿ＵＥとの間でＤＭＲＳのセル間干渉が増加してしまう。
【０１０４】
［端末１００および基地局２００の構成］
実施の形態２の端末１００の構成は、実施の形態１とほぼ同様であり、送信帯域幅が所定数以下（例えば５ＲＢ以下）の場合における系列算出部１１２および参照信号生成部１１３の動作のみが異なる。実施の形態２の基地局２００の構成は、端末１００と同様に、送信帯域幅が所定数以下（例えば５ＲＢ以下）の場合における、参照信号設定部２１４に含まれる系列算出部および参照信号生成部の動作のみが異なる。
【０１０５】
［実施の形態２の動作］
ここでは、端末１００の系列算出部１１２および参照信号生成部１１３における動作を説明する。基地局２００の参照信号設定部２１４においては、ほぼ同様の処理が行われるので説明を省略する。
【０１０６】
先ず、系列算出部１１２は、基地局２００から指示されたＤＭＲＳの送信帯域幅（＝ＭＲＳ［サブキャリア］）が所定数以下（例えば５ＲＢ以下）であり、且つ、ＣｏＭＰ判定部１１１からの出力がＣｏＭＰ＿ＵＥであるかを判定する。そして、判定結果が肯定の場合、系列算出部１１２は、ＺＣ系列長ＮＺＣＲＳとして送信帯域幅ＭＲＳより大きい値を設定する。
【０１０７】
ここで、系列算出部１１２は、ＺＣ系列長ＮＺＣＲＳとして、例えば送信帯域幅の２倍を超えない最大の素数を設定する。すなわち、３，４，５ＲＢのとき、ＺＣ系列長ＮＺＣＲＳは７１，８９，１１３とする。これにより、生成可能なＺＣ系列数（＝ＮＺＣＲＳ−１）を増加できる。
【０１０８】
次に、系列算出部１１２は、上記のように算出したＣｏＭＰ＿ＵＥ用のＺＣ系列長ＮＺＣＲＳと、実施の形態１に示したＣｏＭＰ＿ＵＥ用の系列選択基準値Ｂｕ’（例えば式（４））とに基づき、式（５−２）を用いてＣｏＭＰ＿ＵＥ用のＺＣ系列番号ｑ’を算出する。
【０１０９】
図１６は、実施の形態２における３ＲＢ〜６ＲＢのときのＺＣ系列の選択結果を示す表である。図１６の表は、送信帯域幅が３〜６ＲＢのときに算出されるＺＣ系列長ＮＺＣＲＳと、ＣｏＭＰ＿ＵＥ用の各ＺＣ系列グループ（ｕ＝０〜２９）に割り当てられるＺＣ系列番号ｑ’とを示している。
【０１１０】
図１６のように算出されたＺＣ系列番号ｑ’であれば、図１５（Ａ）のＮｏｎ−ＣｏＭＰ＿ＵＥ用の系列グループと比較して、どの系列グループにおいても系列決定値（ＺＣ系列長とＺＣ系列番号との比）を異ならせることができる。よって、このＺＣ系列番号ｑ’を用いることで、Ｎｏｎ−ＣｏＭＰ＿ＵＥとＣｏＭＰ＿ＵＥとで使用されるＤＭＲＳのセル間干渉の増加が抑えられる。
【０１１１】
なお、系列算出部１１２が、所定数以下の送信帯域幅で設定するＺＣ系列長の設定値は、送信帯域幅の２倍から求めることに限らない。ＺＣ系列長の設定値は、送信帯域幅の２倍以上の素数とすれば、ＣｏＭＰ＿ＵＥ用のＺＣ系列として、式（４）の系列選択基準値Ｂｕ’に最も近く、且つ、Ｎｏｎ−ＣｏＭＰ＿ＵＥ用のＺＣ系列とは異なる系列番号を１つ以上選択することができる。従って、系列算出部１１２と参照信号生成部１１３は、例えば、システム帯域幅相当のＺＣ系列長を設定して、その一部を削除したＺＣ系列を用いるような構成としてもよい。
【０１１２】
参照信号生成部１１３は、ＺＣ系列長ＮＺＣＲＳのＺＣ系列の一部を削除し、送信帯域幅ＭＲＳの長さの参照信号用系列を生成し、マッピング部１０２へ出力する。
【０１１３】
図１７は、実施の形態２におけるＺＣ系列のトランケーション処理の第１例を説明する図を示し、図１８は、実施の形態２におけるＺＣ系列のトランケーション処理の第２例を説明する図を示す。
【０１１４】
参照信号生成部１１３では、次のようにＺＣ系列の波形の対称性を利用して一部を削除する。以下に例を２つ述べる。１つ目は、ＺＣ系列の波形は偶称性（波形の中心を軸に左右が同じ波形）となるので、この対称性が維持できるようにＺＣ系列の一部を削除する方法である。これにより相互相関の増加を抑えることができる（国際公開第２００９／０４１０６６号参照）。詳細には、図１７に示すようにＺＣ系列の波形（系列要素＃ｋとして図１７の上段に示される波形）の中心部分を削除して、左右の波形を合体することで波形の対称性が維持できる。
【０１１５】
２つ目は、図１８に示すようにＺＣ系列の波形の前半あるいは後半の半波形を削除する方法である。これによりＺＣ系列は偶称性の性質があるため、波形の前半半分と後半半分の振幅変動は同程度となり、ＰＡＰＲ（Ｐｅａｋ  ｔｏ  Ａｖｅｒａｇｅ  Ｐｏｗｅｒ  Ｒａｔｉｏ）およびＣＭ（Ｃｕｂｉｃ  Ｍｅｔｒｉｃ）の増加を抑えることができる。
【０１１６】
なお、基地局２００から指示されたＤＭＲＳの送信帯域幅（＝ＭＲＳ［サブキャリア］）が所定数より大きい（例えば６ＲＢ以上）、あるいは、ＣｏＭＰ判定部からの出力がＮｏｎ−ＣｏＭＰ＿ＵＥである場合には、実施の形態１と同様になる。すなわち、系列算出部１１２および参照信号生成部１１３は、この場合に実施の形態１と同じ動作を行う。
【０１１７】
以上のように、実施の形態２によれば、送信帯域幅が小さい場合でも、ＣｏＭＰ＿ＵＥ用に系列選択基準値Ｂｕ’に最も近く、且つ、系列決定値ｑ／ＮＺＣＲＳがＮｏｎ−ＣｏＭＰ＿ＵＥ用の値と異なる複数の系列グループを割り当てることができる。よって、実施の形態２においても、実施の形態１と同等に、ＣｏＭＰ＿ＵＥとＮｏｎ−ＣｏＭＰ＿ＵＥとで使用されるＤＭＲＳのセル間干渉の増加を抑制できる。さらに、実施の形態２では、ＺＣ系列の波形の対称性を利用してＺＣ系列の一部を削除してＤＭＲＳを生成するので、ＣｏＭＰ＿ＵＥで使用されるＤＭＲＳの相互相関およびＰＡＰＲまたはＣＭの増加を抑えられる。
【０１１８】
（実施の形態３）
［更なる課題］
特許文献１で示されるように、ＺＣ系列番号とＺＣ系列長の比（系列決定値）が近いＺＣ系列間は相互相関が最も高いが、系列決定値の差が０．５に近いＺＣ系列間が２番目に相互相関が高くなる。また、実施の形態１のＺＣ系列の選択方法では、例えば、Ｎｏｎ−ＣｏＭＰ＿ＵＥ用の系列グループ番号ｕ＝１に対応する系列選択基準値Ｂ０は、式（３）からＢ０＝２／３１となる。一方、ＣｏＭＰ＿ＵＥ用の系列グループ番号ｕ＝１７に対応する系列選択基準値Ｂ１７’は、式（４）からＢ１７’＝３５／６２となり、両者の関係はＢ１７’＝Ｂ０＋１／２の関係となる。よって、これら系列選択基準値Ｂ０，Ｂ１７’にそれぞれ近い２つの系列決定値のＺＣ系列が選択された場合、これらＺＣ系列の相互相関が高くなってしまう。そして、これらのＺＣ系列が近隣セルで同じ周波数帯域で使用された場合に、ＤＭＲＳのセル間干渉が少し増加してしまう。実施の形態３は、このようなセル間干渉の増加を抑制するものである。
【０１１９】
［端末１００および基地局２００の構成］
実施の形態３の端末１００および基地局２００構成は、実施の形態１とほぼ同様であり、系列算出部１１２および基地局２００の系列算出部の動作のみが異なる。
【０１２０】
［実施の形態３の動作］
続いて、端末１００の系列算出部１１２における動作を説明する。基地局２００の系列算出部においてはほぼ同様の動作が行われるので説明を省略する。
【０１２１】
実施の形態３の系列算出部１１２では、実施の形態１とＣｏＭＰ＿ＵＥ用のＵＥ固有の系列グループ番号ｕの設定方法が異なる。
【０１２２】
系列算出部１１２は、基地局２００からＣｏＭＰ＿ＵＥ用のＵＥ固有の系列グループ番号ｕの通知があった場合、その系列グループ番号ｕを用いる。
【０１２３】
一方、系列算出部１１２は、基地局２００から明示的あるいは暗示的なＵＥ固有の系列グループ番号ｕの通知がない場合、予め定められたルールで、Ｎｏｎ−ＣｏＭＰ＿ＵＥ用の系列グループ番号からＣｏＭＰ＿ＵＥ用のＵＥ固有の系列グループ番号ｕを導出する。以下には具体的な導出方法を２つ説明する。
【０１２４】
図１９は、実施の形態３におけるＣｏＭＰ＿ＵＥ用の系列グループの割当方法の第１例を説明する図を示す。
【０１２５】
１つ目は、ＣｏＭＰ＿ＵＥ用の系列選択基準値Ｂｕ’が、Ｎｏｎ−ＣｏＭＰ＿ＵＥ用の系列選択基準値Ｂｕに最も近くなるように、ＵＥ固有の系列グループ番号ｕを選択する方法である。
【０１２６】
この方法では、例えば、ＣｏＭＰ＿ＵＥ用の系列グループ数が３０個（Ｎｏｎ−ＣｏＭＰ＿ＵＥ用の系列グループ数と同じ。系列選択基準値の分割数Ｙ＝１）の場合、式（７）のようにＣｏＭＰ＿ＵＥ用のＵＥ固有の系列グループ番号を求めればよい。これにより、図１９に示すように系列選択基準の差が０．５となる相互相関がやや高い系列グループ（例えば、Ｎｏｎ−ＣｏＭＰ＿ＵＥ用の系列グループ番号＃１とＣｏＭＰ＿ＵＥ用の系列グループ番号＃１７）を使用するセルを離すことができる。この方法によれば、距離減衰により、ＣｏＭＰ＿ＵＥとＮｏｎ−ＣｏＭＰ＿ＵＥとで使用されるＤＭＲＳの干渉を低減することができる。
【０１２７】
【数６】
0005970061.tif 000007
【０１２８】
また、上記のようなＵＥ固有の系列グループ番号ｕの導出方法を適用することで、次のような効果が得られる。例えば、図１９に示すように、Ｎｏｎ−ＣｏＭＰ＿ＵＥ用に系列グループ番号＃１と＃３とが割り当てられている２つのセルの境界付近に居るＣｏＭＰ＿ＵＥにＣｏＭＰ＿ＵＥ用の系列グループ番号を割り当てる場合を想定する。この場合、Ｎｏｎ−ＣｏＭＰ＿ＵＥ用に系列グループ番号＃１が割り当てられているセルにＣｏＭＰ＿ＵＥが属しているとき（Ｓｅｒｖｉｎｇ  ｃｅｌｌが＃１のとき）、基地局は、このＣｏＭＰ＿ＵＥにＣｏＭＰ＿ＵＥ用の系列グループ番号を通知しなくてよい。そして、このＣｏＭＰ＿ＵＥには、上記の方法によって系列グループ番号を導出させればよい。さらに、このＣｏＭＰ＿ＵＥが、Ｎｏｎ−ＣｏＭＰ＿ＵＥ用に系列グループ番号＃３が割り当てられているセルへ移動した（Ｓｅｒｖｉｎｇ  ｃｅｌｌが＃３となった場合）とする。基地局は、この場合にのみ、このＣｏＭＰ＿ＵＥにＣｏＭＰ＿ＵＥ用の系列グループ番号＃１７を通知すればよい。よって、２つのセルの片方でＣｏＭＰ＿ＵＥ用の系列グループ番号の通知を省略することができる。
【０１２９】
図２０は、実施の形態３におけるＣｏＭＰ＿ＵＥ用の系列グループの割当方法の第２例を説明する図である。
【０１３０】
２つ目は、ＣｏＭＰ＿ＵＥ用の系列選択基準値Ｂｕ’が、Ｎｏｎ−ＣｏＭＰ＿ＵＥ用の系列選択基準値Ｂｕ＋０．５に、最も近くなるように、ＵＥ固有の系列グループ番号ｕを選択する方法である。
【０１３１】
この方法では、例えば、ＣｏＭＰ＿ＵＥ用の系列グループ数が３０個（Ｎｏｎ−ＣｏＭＰ＿ＵＥ用の系列グループ数と同じ。系列選択基準値の分割数Ｙ＝１）の場合、式（８）のようにＣｏＭＰ＿ＵＥ用のＵＥ固有の系列グループ番号を求めればよい。これにより、図２０に示すように系列選択基準の差が０．５となる相互相関がやや高い系列グループ（例えば、Ｎｏｎ−ＣｏＭＰ＿ＵＥ用の系列グループ番号＃１とＣｏＭＰ＿ＵＥ用の系列グループ番号＃１７）を、同じＣｏＭＰ受信エリア内のセルで使用することができる。ＣｏＭＰ受信エリア内のセルは１つのスケジューラーがリソース割当を行うので、スケジューラーによって干渉が高くなるＵＥ同士を異なる周波数帯域に割り当てることができる。よって、適切なリソース割当を行うことで、ＣｏＭＰ＿ＵＥとＮｏｎ−ＣｏＭＰ＿ＵＥとで使用されるＤＭＲＳの干渉を低減することができる。
【０１３２】
【数７】
0005970061.tif 000008
【０１３３】
また、このようなＵＥ固有の系列グループ番号ｕの導出方法を適用した場合にも、図２０のように２つのセルの境界付近にＣｏＭＰ＿ＵＥが居る場合に、片方でＣｏＭＰ＿ＵＥ用の系列グループ番号の通知が省略できるという効果が得られる。すなわち、基地局は、Ｎｏｎ−ＣｏＭＰ＿ＵＥ用の系列グループ番号が＃３のＣｏＭＰ＿ＵＥ（Ｓｅｒｖｉｎｇ  ｃｅｌｌが＃１のＵＥ）へのみＣｏＭＰ＿ＵＥ用の系列グループ番号の通知を行えばよい。そして、Ｎｏｎ−ＣｏＭＰ＿ＵＥ用の系列グループ番号が＃１のＣｏＭＰ＿ＵＥ（Ｓｅｒｖｉｎｇ  ｃｅｌｌが＃１のＵＥ）へのＣｏＭＰ＿ＵＥ用の系列グループ番号の通知が省略できる。
【０１３４】
以上のように、実施の形態３によれば、ＣｏＭＰ＿ＵＥ用とＮｏｎ−ＣｏＭＰ＿ＵＥ用の相互相関がやや高くなる系列決定値が０．５離れた系列グループの割り当てを考慮することで、ＣｏＭＰ＿ＵＥとＮｏｎ−ＣｏＭＰ＿ＵＥとで使用されるＤＭＲＳの干渉をより低減することができる。
【０１３５】
さらに、実施の形態３によれば、ＣｏＭＰ＿ＵＥ用の系列グループ番号の通知がない場合の導出方法を予め定めることで、ＵＥ固有系列グループ番号のシグナリング量を低減することができる。
【０１３６】
以上、本発明の各実施の形態について説明した。
【０１３７】
なお、上記実施の形態では、送信信号が複数のセルで協調して受信・合成される端末のことをＣｏＭＰ＿ＵＥと表わしたが、ＣｏＭＰ＿ＵＥを、ＵＥ固有のＤＭＲＳ系列が設定可能あるいは、設定されたＵＥと読み替えてもよい。或いは、ＣｏＭＰ＿ＵＥを、３ＧＰＰ  Ｒｅｌ．１１以上をサポートするＵＥ、Ｖｉｒｔｕａｌ＿ｃｅｌｌ＿ＩＤが設定可能或いは設定されたＵＥと読み替えてもよい。また、ＣｏＭＰ＿ＵＥを、明示的にＣｏＭＰ＿ＵＥだと基地局から通知されたＵＥ、または、セル固有割当の系列と異なるＺＣ系列をＤＭＲＳに使用するように指示されたＵＥ、と読み替えてもよい。
【０１３８】
また、ＣｏＭＰ＿ＵＥとは、Ｒｅｌ．１１以上をサポートするＵＥで、かつ、小送信電力基地局（ピコセル、ＲＲＨ（Ｒｅｍｏｔｅ  Ｒａｄｉｏ  Ｈｅａｄ）など）に接続するＵＥを指してもよい。
【０１３９】
ここで、小送信電力基地局が配置されるシステムに本発明を適用した場合について説明する。
【０１４０】
図２１は、小電力基地局を有するシステムへ本発明に係る系列グループ割当を適用した例を示す図である。
【０１４１】
例えば、ＬＴＥ  Ｒｅｌ．１１以降では、図２１に示すようにＬＴＥ  Ｒｅｌ．１０で定義された系列グループを用いるマクロセルエリア内を、小送信電力基地局を新たに複数配置してカバーすることが考えられる。このような小送信電力基地局を複数配置する場合、それぞれのセル半径は小さくなるため、系列グループのリユース距離（同一系列グループを使用するセル間距離）が小さくなり、セル間干渉が増加するという同様の課題が生じる。
【０１４２】
そこで、新たに配置する小送信電力基地局に、上記各実施の形態でＣｏＭＰ＿ＵＥ用の系列グループとして説明した新たな系列グループを割り当てることで、各実施の形態と同様の効果を得ることができる。つまり、ＬＴＥ  Ｒｅｌ．１１以降で、新たに配置する小送信電力基地局に接続するＵＥをＣｏＭＰ＿ＵＥ、それ以外のセルに接続するＵＥをＮｏｎ−ＣｏＭＰ＿ＵＥとして、本実施の形態を適用する。具体的には、図２１に示すように、マクロセルに接続するＵＥ（Ｎｏｎ−ＣｏＭＰ＿ＵＥ）が用いる系列グループ番号を＃１とし、そのセルエリア内にＬＴＥ  Ｒｅｌ．１１以降の小セル（ピコセルとも呼ぶ）を５個配置する場合を想定する。この場合、式（６）でＹ＝５とした５つのＣｏＭＰ＿ＵＥ用系列選択基準値Ｂｕ，ｙ’（式（９）で求まるＢｕ，０’〜Ｂｕ，４’）を用いて５つの系列グループを生成し、各小セルへ割り当てる。これにより、異なるセル（小セル同士、小セルとマクロセル）に接続するＵＥ間でＤＭＲＳが干渉することを低減できる。
【０１４３】
【数８】
0005970061.tif 000009
【０１４４】
また、上記実施の形態では、基地局から端末へＣｏＭＰ＿ＵＥを指示することを説明したが、この指示を行うリソースおよび制御情報としては、具体的には、ＰＤＣＣＨ（Ｐｈｙｓｉｃａｌ  Ｄｏｗｎｌｉｎｋ  Ｃｏｎｔｒｏｌ  Ｃｈａｎｎｅｌ）のＵＬ  Ｇｒａｎｔ（ＵｐＬｉｎｋ Ｇｒａｎｔ）を適用することができる。また、この指示を行う制御情報としては、ＲＲＣ（Ｒａｄｉｏ  Ｒｅｓｏｕｒｃｅ  Ｃｏｎｔｒｏｌ）シグナリング（上位レイヤーシグナリング）を適用することもできる。
【０１４５】
また、上記実施の形態では、ＤＭＲＳに本発明に係る参照信号系列を適用した構成を例にとって説明したが、ＳＲＳ（Ｓｏｕｎｄｉｎｇ  Ｒｅｆｅｒｅｎｃｅ  Ｓｉｇｎａｌ）に本発明に係る参照信号系列を適用した構成を採用することもできる。
【０１４６】
また、上記実施の形態では、ＣｏＭＰ＿ＵＥ用の系列グループの各ＲＢで使用できるＺＣ系列数は、Ｎｏｎ−ＣｏＭＰ＿ＵＥ用の系列グループと同数となる構成について主に示した。しかし、ＣｏＭＰ＿ＵＥ用の系列グループの各ＲＢで使用できるＺＣ系列数は、Ｎｏｎ−ＣｏＭＰ＿ＵＥ用の系列グループと異なってもよい。例えば、Ｎｏｎ−ＣｏＭＰ＿ＵＥ用の系列グループは、図１に示したように、３〜５ＲＢは１系列、６ＲＢ〜は２系列である。一方、ＣｏＭＰ＿ＵＥ用の系列グループは、図２２に示すように、全てのＲＢで１系列としてもよい。図２２は、ＣｏＭＰ＿ＵＥ用のＺＣ系列の割当方法の変形例を示す表である。
【０１４７】
このようにＣｏＭＰ＿ＵＥ用のＺＣ系列を各ＲＢで１系列に絞ることで、次のような効果が得られる。すなわち、ＣｏＭＰ＿ＵＥのＤＭＲＳは、ＭＵ−ＭＩＭＯ分離を行うために、より高いチャネル推定精度が求められる。よって、ＣｏＭＰ＿ＵＥ用のＺＣ系列を各ＲＢで１系列に絞ることで、より所望の系列選択基準Ｓｎ’に近い系列決定値（ＺＣ系列番号とＺＣ系列長の比）のＺＣ系列だけをＤＭＲＳとして利用させることができる。従って、ＤＭＲＳのセル間干渉がより低減してチャネル推定精度を改善させることができる。
【０１４８】
［例外処理］
また、上記実施の形態の通信システムにおいては、例外処理として、ＣｏＭＰ＿ＵＥがＮｏｎ−ＣｏＭＰ＿ＵＥ用の系列グループのＤＭＲＳとＣｏＭＰ＿ＵＥ用の系列グループのＤＭＲＳとを状況に応じて使い分ける構成を採用することもできる。
【０１４９】
例えば、ＲＡＣＨ  ｍｅｓｓａｇｅ  ３  （ＲＡＣＨ（Ｒａｎｄｏｍ  Ａｃｃｅｓｓ  Ｃｈａｎｎｅｌ）  ｒｅｓｐｏｎｓｅ）用のＤＭＲＳは、ＣｏＭＰ＿ＵＥ又はＮｏｎ−ＣｏＭＰ＿ＵＥに関わらず、Ｎｏｎ−ＣｏＭＰ＿ＵＥ用のＺＣ系列を用いるとよい。基地局はＲＡＣＨ  ｍｅｓｓａｇｅ  ３を送信する端末がセル固有系列を設定可能なＵＥか否かを識別できない。そのため、このような例外処理とすることで、基地局はＣｏＭＰ＿ＵＥのＲＡＣＨ  ｍｅｓｓａｇｅ  ３を正しく受信することができる。
【０１５０】
また、系列グループ番号の明示的な通知をＲＲＣ（Ｒａｄｉｏ  Ｒｅｓｏｕｒｃｅ  Ｃｏｎｔｒｏｌ）シグナリングで行う場合、ＣｏＭＰ＿ＵＥは、シグナリング直後の所定期間にＮｏｎ−ＣｏＭＰ＿ＵＥ用のＺＣ系列を用いるように構成するとよい。基地局は、シグナリング後の所定期間、基地局からのシグナリング内容を端末が反映済みか否かを確定的に認識することができない。よって、このような例外処理とすることで、基地局はシグナリング直後の不確定期間においても上り信号を正しく受信することができる。
【０１５１】
また、上記実施の形態では、本発明をハードウェアで構成する場合を例にとって説明したが、本発明はハードウェアとの連携においてソフトウェアで実現することも可能である。
【０１５２】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５３】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）または、ＬＳＩ内部の回路セルの接続または設定を再構成可能なリコンフィギュラブル・プロセッサを利用してもよい。
【０１５４】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１５５】
２０１２年３月９日出願の特願２０１２−０５２８５４の日本出願に含まれる明細書、図面および要約書の開示内容は、すべて本願に援用される。
【産業上の利用可能性】
【０１５６】
本発明は、移動体通信システム等に適用することができる。
【符号の説明】
【０１５７】
１００  端末
１０１  アンテナ
１０２  マッピング部
１０３  ＩＦＦＴ部
１０４  ＣＰ付加部
１０５  送信部
１０６  受信部
１０７  復調部
１０８  送信処理部
１０９  受信処理部
１１０  参照信号処理部
１１１  ＣｏＭＰ判定部
１１２  系列算出部
１１３  参照信号生成部
２００  基地局
２０１  アンテナ
２０２  受信部
２０３  ＣＰ除去部
２０４  分離部
２０５，２０８  ＦＦＴ部
２０６，２０９  デマッピング部
２０７  周波数領域等化部
２１０  ＣＨ推定部
２１１  ＩＤＦＴ部
２１２  復調部
２１３  復号部
２１４  参照信号設定部
２１５  変調部
２１６  送信部
２１７  送信処理部
２１８  受信処理部
【図１】
0005970061.tif 000010
【図２】
0005970061.tif 000011
【図３】
0005970061.tif 000012
【図４】
0005970061.tif 000013
【図５】
0005970061.tif 000014
【図６】
0005970061.tif 000015
【図７】
0005970061.tif 000016
【図８】
0005970061.tif 000017
【図９】
0005970061.tif 000018
【図１０】
0005970061.tif 000019
【図１１】
0005970061.tif 000020
【図１２】
0005970061.tif 000021
【図１３】
0005970061.tif 000022
【図１４】
0005970061.tif 000023
【図１５】
0005970061.tif 000024
【図１６】
0005970061.tif 000025
【図１７】
0005970061.tif 000026
【図１８】
0005970061.tif 000027
【図１９】
0005970061.tif 000028
【図２０】
0005970061.tif 000029
【図２１】
0005970061.tif 000030
【図２２】
0005970061.tif 000031